(57)【要約】例えば通話といった通信セッションが無線端末と基地局間で確立される。無線端末におけるダイバーシチ受信パスのそれぞれを介した少なくとも１つのチャネルの受信特性を、通信セッションの少なくとも１つの送信ギャップの間に測定する。少なくとも１つの通信ギャップは、例えば、ハンドオーバ候補チャネル評価の送信ギャップや、周波数間測定ギャップを含むことができる。選択ダイバーシチ受信パスの測定は、基地局と端末との間の通信の圧縮モードへの移行より後に行われてもよく、少なくとも１つの通信ギャップには、圧縮モードに関連する送信ギャップが含まれてもよい。【選択図】図１
2009532936.tif 000002
【特許請求の範囲】
【請求項１】
無線端末の動作方法であって、
通信セッションを前記無線端末と基地局との間で確立する工程と、
前記通信セッションにおける少なくとも１つの送信ギャップの間に、前記無線端末における複数の選択ダイバーシチ受信パスのそれぞれにおける、少なくとも１つのチャネルの受信特性を測定する工程と
を備えることを特徴とする方法。
【請求項２】
前記少なくとも１つの通信ギャップは、ハンドオーバ候補チャネル評価の送信ギャップと、周波数間測定のギャップとのうち、少なくともいずれかを含むことを特徴とする請求項１に記載の方法。
【請求項３】
前記受信特性を測定する工程は、前記基地局と前記無線端末との間で圧縮モードの通信に移行した後に実行され、
前記少なくとも１つの送信ギャップは、前記圧縮モードに関連する送信ギャップであることを特徴とする請求項１に記載の方法。
【請求項４】
前記受信特性を測定する工程は、前記無線端末の第１のアンテナと第２のアンテナとを介した前記少なくとも１つのチャネルの受信特性の測定を含むことを特徴とする請求項１に記載の方法。
【請求項５】
前記受信特性を測定する工程は、前記基地局と前記無線端末との間で圧縮モードの通信に移行した後に実行され、
前記少なくとも１つの送信ギャップは、前記圧縮モードに関連する送信ギャップであることを特徴とする請求項４に記載の方法。
【請求項６】
前記無線端末の第１のアンテナと第２のアンテナとを介した前記少なくとも１つのチャネルの受信特性の測定は、複数のハンドオーバ候補チャネルについて前記第１のアンテナと前記第２のアンテナを介した受信特性の測定を含むことを特徴とする請求項４に記載の方法。
【請求項７】
前記ハンドオーバ候補チャネルについての測定結果を前記基地局へ通知する工程をさらに備えることを特徴とする請求項６に記載の方法。
【請求項８】
前記複数のハンドオーバ候補チャネルについて前記第１のアンテナと前記第２のアンテナを介した受信特性の測定は、前記無線端末について複数のハンドオーバ候補チャネルを前記基地局が特定した後に行われることを特徴とする請求項６に記載の方法。
【請求項９】
前記無線端末の前記第１のアンテナと前記第２のアンテナとを介した受信特性の測定に応答して、前記無線端末の通信のためのアンテナを前記第１のアンテナと前記第２のアンテナとのいずれかから選択する工程をさらに備えることを特徴とする請求項４に記載の方法。
【請求項１０】
無線端末であって、
前記無線端末において第１の選択ダイバーシチ受信パスと第２の選択ダイバーシチ受信パスとを提供するように構成された無線受信システムと、
前記受信システムと関連して動作するコントローラであって、前記無線端末と基地局との間の通信セッションにおける少なくとも１つの送信ギャップの間に、前記第１の選択ダイバーシチ受信パス及び第２の選択ダイバーシチ受信パスを介した少なくとも１つのチャネルの受信特性を測定するように構成されたコントローラと、
を備えることを特徴とする無線端末。
【請求項１１】
前記少なくとも１つの通信ギャップは、ハンドオーバ候補チャネル評価の送信ギャップと、周波数間測定のギャップとのうち、少なくともいずれかを含むことを特徴とする請求項１０に記載の無線端末。
【請求項１２】
前記少なくとも１つの送信ギャップは、圧縮モード通信に関連する送信ギャップを含むことを特徴とする請求項１０に記載の無線端末。
【請求項１３】
前記受信システムは、
空間的に分離された第１のアンテナ及び第２のアンテナと、
前記第１のアンテナと前記第２のアンテナとを介して選択的に信号を受信するように構成された受信器とを備え、
前記コントローラは、前記少なくとも１つの送信ギャップの間に、前記第１のアンテナと前記第２のアンテナとを介して受信特性を測定するように構成されている
ことを特徴とする請求項１０に記載の無線端末。
【請求項１４】
前記少なくとも１つの送信ギャップは、圧縮モード通信に関連する送信ギャップを含むことを特徴とする請求項１３に記載の無線端末。
【請求項１５】
前記コントローラは、複数のハンドオーバ候補チャネルについて前記第１のアンテナと前記第２のアンテナとを介した受信特性の測定を行うように構成されていることを特徴とする請求項１３に記載の無線端末。
【請求項１６】
前記コントローラは、前記ハンドオーバ候補チャネルについての測定結果を、前記無線端末の無線送信システムを介して前記基地局へ通知するように更に構成されていることを特徴とする請求項１５に記載の無線端末。
【請求項１７】
前記コントローラは、前記無線端末の前記第１のアンテナと前記第２のアンテナとを介した受信特性の測定に応答して、前記無線端末の通信のためのアンテナを前記第１のアンテナと前記第２のアンテナとのいずれかから選択するように更に構成されていることを特徴とする請求項１３に記載の無線端末。
【請求項１８】
無線端末を制御するためのコンピュータプログラムであって、該コンピュータプログラムは、記憶媒体上で具現化されるコンピュータプログラムコードを含み、
当該コンピュータプログラムコードは、
通信セッションを前記無線端末と基地局との間で確立し、
前記通信セッションにおける少なくとも１つの送信ギャップの間に、前記無線端末における複数の選択ダイバーシチ受信パスのそれぞれにおける、少なくとも１つのチャネルの受信特性を測定する
ように構成されたことを特徴とするコンピュータプログラム。
【請求項１９】
前記少なくとも１つの通信ギャップは、ハンドオーバ候補チャネル評価の送信ギャップと、周波数間測定のギャップとのうち、少なくともいずれかを含むことを特徴とする請求項１８に記載のコンピュータプログラム。
【請求項２０】
前記少なくとも１つの送信ギャップは、前記無線端末と基地局との間の通信の圧縮モードに関連する送信ギャップを含むことを特徴とする請求項１８に記載のコンピュータプログラム。
【請求項２１】
前記複数の選択ダイバーシチ受信パスは、前記無線端末の第１のアンテナと第２のアンテナとを含むことを特徴とする請求項１８に記載のコンピュータプログラム。
【請求項２２】
前記無線端末の前記第１のアンテナと前記第２のアンテナとを介した受信特性の測定に応答して、前記無線端末の通信のためのアンテナを前記第１のアンテナと前記第２のアンテナとのいずれかから選択するように構成されたコンピュータプログラムコードを更に備えることを特徴とする請求項１８に記載のコンピュータプログラム。
【発明の詳細な説明】
【技術分野】
【０００１】
本発明は、移動体端末の分野に関連する。特には、例えば、空間ダイバーシチアンテナと言ったダイバーシチ受信パスを有する無線端末における受信に関する。
【背景技術】
【０００２】
無線端末は今では、様々な異なるタイプの通信に広く用いられている。例えば、携帯電話システムは、いまやユビキタスであって、携帯電話網や他のネットワークは、電子メール、インターネットアクセス、メディア配布等といったデータ集約型のアプリケーションをサポートするための利用が増えている。いわゆる３Ｇ及びより高位の無線システムの拡張により、データスループットを更に上げる必要性が生まれるであろう。無線端末の受信性能を改善することは、一般にはスループットを上げることに繋がるかもしれない。
【０００３】
ダイバーシチ技術は、受信性能改善のために一般的に利用されている。典型的な受信ダイバーシチ（或いは、「ダイバーシチ結合」）アプローチにおいて、無線端末の受信性能は、所望のトラヒックチャネルを受信するために利用される受信チャネルの数を増加させることにより改善されるであろう。典型的な実装において、各受信器は各空間（或いは、別の方法の）ダイバーシチアンテナに接続される。アンテナの間隔は、少なくとも１つのアンテナが好ましい受信ができる可能性が比較的高くなるようなものでよい。各受信器から生成される信号は、最適な受信を行うためにいろいろな異なる方法で重み付け結合されてもよい。
【０００４】
そのようなアプローチの利点は、より良いデータスループット、カバーエリアの境界での受信状況の改善、及び、より一貫したデータ送信速度を含むことができる。しかしながら、受信ダイバーシチの実装は、携帯電話ハンドセットのような移動体装置にとってはチャレンジである。というのは、複数受信器構造は、コストがかかり、構造が複雑化し、演算負荷も比較的高くなるかも知れず、また、比較的消費電力が大きくなるためである。
【０００５】
別の既知のダイバーシチ技術は、アンテナレベルで実装されるより限定的な選択ダイバーシチアプローチである。無線端末では、例えば２以上のアンテナと単一受信器が提供され、受信器はチャネル品質や他の意味のある数値に従ってアンテナ間で切り替えられる。そのようなアプローチの利点は、コンポーネント数を少なくし、制御を比較的簡単にできる点である。しかしながら、そのようなアプローチでは、完全な受信ダイバーシチにより達成されるパフォーマンスと同一のレベルには到達できないであろう。
【発明の開示】
【発明が解決しようとする課題】
【０００６】
従来的な選択ダイバーシチの実装に関する問題点は、アンテナパスで受信器を切り替える際の決定基準にある。例えば、あるアンテナから別のアンテナへのブライドスイッチは、通信セッションの中断（例えば、呼の欠損）といった望ましくない効果をもたらすかも知れない。従って、ダイバーシチ受信について改善技術が必要とされている。
【課題を解決するための手段】
【０００７】
本発明のいくつかの実施形態は、無線端末の動作方法を提供する。通信セッション、例えば通話、が無線端末と基地局との間で確立される。通信セッションにおける少なくとも１つの送信ギャップの間に、無線端末における複数の選択ダイバーシチ受信パスのそれぞれにおける、少なくとも１つのチャネルの受信特性が測定される。少なくとも１つの通信ギャップには、例えば、ハンドオーバ候補チャネル評価の送信ギャップと、周波数間測定のギャップとのうち、少なくともいずれかを含むことができる。受信特性の測定は、基地局と端末との間で圧縮モードの通信に移行した後に実行されてもよく、少なくとも１つの送信ギャップは、圧縮モードに関連する送信ギャップを含むことができる。
【０００８】
選択ダイバーシチ受信パスは、無線端末の第１のアンテナと第２のアンテナとを含むことができる。無線端末の第１のアンテナと第２のアンテナとを介した受信特性の測定に応答して、無線端末の通信のために第１のアンテナ及び第２のアンテナのいずれが選択されてもよい。
【０００９】
発明の更なる実施形態によれば、無線端末の第１のアンテナと第２のアンテナとを介した受信特性の測定は、複数のハンドオーバ候補チャネルについて第１のアンテナと第２のアンテナを介した受信特性の測定を含むことができる。ハンドオーバ候補チャネルについての測定結果は、例えばハンドオーバ処理の補助のために基地局へ通知されてもよい。基地局は、測定の実施前に無線端末について複数のハンドオーバ候補チャネルを特定してもよい。
【００１０】
発明の更なる実施形態によれば、無線端末は、第１の選択ダイバーシチ受信パスと第２の選択ダイバーシチ受信パスとを提供するように構成された無線受信システムを含む。無線端末は更に、受信システムと関連して動作するコントローラであって、無線端末と基地局との間の通信セッションにおける少なくとも１つの送信ギャップの間に、第１の選択ダイバーシチ受信パス及び第２の選択ダイバーシチ受信パスを介した少なくとも１つのチャネルの受信特性を測定するように構成されたコントローラを含む。少なくとも１つの通信ギャップは、ハンドオーバ候補チャネル評価の送信ギャップと、周波数間測定のギャップとのうち、少なくともいずれかを含むことができる。少なくとも１つの送信ギャップは、圧縮モード通信に関連する送信ギャップを含んでもよい。
【００１１】
受信システムは、空間的に分離された第１のアンテナ及び第２のアンテナと、当該第１のアンテナと第２のアンテナとを介して選択的に信号を受信するように構成された受信器とを含むことができる。当該コントローラは、少なくとも１つの送信ギャップの間に、第１のアンテナと第２のアンテナとを介して受信特性を測定するように構成することができる。コントローラは、無線端末の第１のアンテナと第２のアンテナとを介した受信特性の測定結果に応じて、無線端末の通信のためのアンテナを第１のアンテナと第２のアンテナとのいずれかから選択するように更に構成されていてもよい。
【００１２】
発明の更なる実施形態では、無線端末を制御するためのコンピュータプログラムが提供される。コンピュータプログラムは、記憶媒体に格納されたコンピュータプログラムコードを含み、当該コンピュータプログラムコードは、通信セッションを無線端末と基地局との間で確立し、通信セッションにおける少なくとも１つの送信ギャップの間に、無線端末における複数の選択ダイバーシチ受信パスのそれぞれにおける、少なくとも１つのチャネルの受信特性を測定するように構成される。複数の選択ダイバーシチ受信パスは、無線端末の第１のアンテナと第２のアンテナとを含むことができる。また、コンピュータプログラムコードは、無線端末の第１のアンテナと第２のアンテナとを介した受信特性の測定結果に応じて、無線端末の通信のためのアンテナを第１のアンテナと第２のアンテナとのいずれかから選択するように構成されたコンピュータプログラムコードを更に含むことができる。
【発明を実施するための最良の形態】
【００１３】
本発明の特定の典型的な実施形態について添付図面を参照して説明する。しかしながら本発明は、異なる形態において実施されても良いし、ここで説明する実施形態に限定されるものとして解釈されるべきではない。むしろ、これらの実施形態は、本開示が完璧かつ完全となるように、また当業者に本発明の範囲を十分に伝えるように提供されている。添付図面に記載の特定の典型的実施形態に関する詳細な説明において使用される用語は、本発明を限定する意図を含まない。図面において同様の参照番号は、同様の構成要素を示すものである。
【００１４】
本書面で使用する場合、単数形の表現は、複数形式のものも同様に含むことが意図されている。但し、文脈において複数形式を明らかに除外している場合にはその限りではない。また、「含む（"including"又は"include"）」、「備える（"comprising"又は"comprise"）」の語は、記載された特徴、数値、工程、動作、要素、及びコンポーネントの少なくともいずれかの存在を表す一方で、１以上の他の特徴、数値、工程、動作、要素、コンポーネント及びそれらの組合せの少なくともいずれかの存在又は追加を排除するものではない。
【００１５】
また、要素が別の要素に「接続」または「結合」されていると言うとき、その別の要素に直接に接続、または結合されていても、介在要素が存在していてもよいことを理解されたい。さらに、「接続」または「結合」されているという場合、無線により接続または結合されている場合を含むことができる。また、「及び／又は（"and/or"）」との語は、列挙された事項の１つ以上のあらゆる結合、及び、全ての結合を含むものとして、理解されよう。
【００１６】
他に特に定義しない限り、使用される全ての用語（技術用語、科学用語を含む）は、本発明が属する技術分野における当業者が通常理解する意味と同一の意味を有するものとして使用される。また、共通に使用される辞書において定義されているような用語は、関連技術の文脈における意味と一致した意味で解釈されるべきであり、本明細書において特に定義しない限りは、理想的に、或いは、過度に形式ばった意味において解釈されるべきではない。
【００１７】
ここで記述される本発明の実施形態は、無線端末における選択ダイバーシチ受信パスの評価に関する。ここで無線端末における「選択ダイバーシチ受信パス」とは、選択ダイバーシチアンテナ、及び、無線通信が端末により選択的に受信されるような端末の他の受信回路のうち少なくともいずれかを含むものであるが、これらに限定されるものでもない。選択ダイバーシチ受信パスは、例えば、代替的な信号フィルタリング及び処理の連鎖のような、選択可能な（例えば、代替的な）受信回路を含んでいてもよい。ここで「無線端末」とは、無線通信システムにおける端末として動作するあらゆるタイプの携帯電子装置をも含むものであり、セルラーハンドセットや、PDA、ノートブック・コンピュータ、メディア・プレイヤ装置及び他の無線通信性能を有する個人用電子機器を含むことができるが、これらに限定されるものでもない。
【００１８】
本発明のいくつかの実施形態は、例えば、無線端末における選択ダイバーシチ・アンテナ・フィード及び選択ダイバーシチ受信チェーンの少なくともいずれかのような選択ダイバーシチ受信パスを評価するために、通信セッションにおける送信ギャップを利用することにより、選択ダイバーシチが改善されるかも知れないという認識に由来する。いくつかの実施形態では、そのような送信ギャップは、チャネル測定に提供されるギャップのように、所定の圧縮モード通信において提供されるギャップであっても良い。例えば、３ＧＰＰ／ＵＭＴＳの仕様は、ハンドオーバ動作をサポートする周波数間チャネル測定に利用可能な送信ギャップを提供する圧縮モードを含み、本発明のいくつかの実施形態では、そのようなギャップは、ダイバーシチ・アンテナ・パスの評価測定を行うために利用されてもよい。アンテナ測定は、ハンドオーバ動作において利用されるチャネル測定と合わせて実行されてもよい。
【００１９】
図１は、発明のいくつかの実施形態に対応する無線端末１００を示す。端末１００は、例えば、セルラー・ハンドセットや、ＰＤＡ、ラップトップ・コンピュータのようなセルラー無線通信に利用可能な携帯電子装置といった移動体端末とすることができる。端末１００は、プロセッサ１３０として示されるコントローラと連携して動作する送受信器１２０及びユーザインタフェース１４０（例えば、ディスプレイ、キーパッド、マウス等）を含む。送受信器１２０は、空間的に分離された第１及び第２のアンテナ１１０ａ、１１０ｂを介して無線信号１０１、１０２を選択的に受信するように構成されており、これにより選択ダイバーシチの第１及び第２の受信パスによる受信システムを提供することができる。
【００２０】
いくつかの実施形態では、アンテナ１１０ａ及び１１０ｂは、間隔、例えば、端末１００が受信する信号の波長とほぼ等価な間隔を置いて分離されてもよい。また、送受信器１２０は、プロセッサ１３０の制御下において、アンテナ１１０ａ、１１０ｂのどちらが端末の通信に適しているかを選択するように構成されていてもよい。図１は、２つの空間ダイバーシチアンテナを示しているが、本発明の更なる実施形態において、３以上の空間ダイバーシチアンテナや、偏波ダイバーシチのような異なるタイプのダイバーシチを有するアンテナを利用してもよいことは、理解されよう。
【００２１】
送受信器１２０は、プロセッサ１３０の制御下において、それぞれに関連する受信パスの受信測定結果に基づいて、第１のアンテナ１１０ａを介した受信信号と、第２のアンテナ１１０ｂを介した受信信号とを切り替えることができる。例えば、図１に示すように、パス測定／選択アプリケーション１３２は、プロセッサ１３０（と関連メモリ）上で実行されてもよい。アプリケーション１３２は、各アンテナ１１０ａ及び１１０ｂを介して受信した信号を測定し、測定結果に応じて端末１００の更なる通信のためのアンテナを、アンテナ１１０ａ、１１０ｂの中から選ぶことができる。以下に記載する発明のいくつかの実施形態では、例えば、端末１００と基地局１０との間の通信セッションにおける通信ギャップの間に当該測定を行うことができる。送信ギャップには、例えば、３ＧＰＰ／ＵＭＴＳ規格における圧縮モードで規定された送信ギャップのような、従来的にハンドオーバ候補チャネルの評価に利用されるプロトコル定義によるギャップを含むことができる。
【００２２】
図２は、発明の更なる実施形態に対応する、無線端末１００のような無線端末における受信パスの評価及び選択の為の典型的な処理を示す。まず、無線端末１００と基地局１０との間で通信が確立される（ブロック２１０）。無線端末１００の選択ダイバーシチ受信パス（例えば、アンテナ１１０ａ、１１０ｂをそれぞれ含むパス）が、通信セッション（例えば、通話）の送信ギャップの間に測定される（ブロック２２０）。測定結果に応じて、端末における受信パスが選択される（ブロック２３０）。
【００２３】
発明の更なる実施形態によれば、無線端末の受信パスの評価を、例えばハンドオーバを目的として行われる候補チャネル評価処理と統合することができる。図３は、発明の更なる実施形態に対応する、そのような統合処理の例を示す。まず、無線端末１００と基地局１０との間で通信（通話）が確立される（ブロック３１０）。次いで、通信セッションの送信ギャップの間に、選択ダイバーシチ受信パス及び、例えば周波数間ハンドオーバ候補チャネルサーチリストの候補チャネルが測定される（ブロック３２０）。例えば、これらの評価処理の間に、ハンドオーバ候補チャネルと受信パスの異なる組合せが評価されてもよい。測定結果に基づき、受信パスが選択される（ブロック３３０）。また、送受信器１２０の送信機能を利用するなどして、候補チャネル測定結果が基地局に通知される（ブロック３４０）。
【００２４】
図４及び図５ａ乃至５ｃは、発明のいくつかの実施形態に対応する、受信パス評価に利用する送信ギャップの典型例を示す。図４を参照すると、送信ギャップ４２０は、３ＧＰＰ／ＵＭＴＳ規格ＴＳ２５．２１２の圧縮モード通信において提供される。発明のいくつかの実施形態では、周波数間ハンドオーバの間に、無線端末が１以上の係る送信ギャップを利用して、例えば、ダイバーシチアンテナの選択といった、選択ダイバーシチ受信パスのために異なる候補キャリア周波数を測定することができる。例えば、１から７スロットをこれらの処理に利用することができる。これらのスロットは、単一フレーム４１０内にあってもよいし、２つのフレームに分散されてもよい。圧縮フレームは、周期的に発生することができ、或いは、要求されてもよい。圧縮フレームの速度及びタイプは一般には、環境及び測定要求に依存する。図５ａは、送信ギャップ５１０を有するアップリンク圧縮フレーム構造を示す。また、図５ｂ及び図５ｃは、送信ギャップ５１０’、５１０”を有するダウンリンク圧縮フレームの２つの異なるフォーマットを示す。
【００２５】
図６は、発明の更なる実施形態に対応する典型的な処理を示す。ここでは、アンテナ評価及びチャネル測定が、図４、図５ａ乃至図５ｃに示すような圧縮モードの通信ギャップに合わせて実行される。複数の選択ダイバーシチアンテナパスを有する無線端末は、基地局とトラヒックチャネルを介して通信する（ブロック６１０）。端末は、測定対象のアンテナとチャネルの複数の組合せを特定する（ブロック６２０）。例えば、チャネルは、ハンドオーバ処理の一部において基地局により端末のものと特定されるチャネル候補であってもよい。端末は、圧縮モードの１以上の送信ギャップにおいて、様々なアンテナ／チャネルの組合せについて測定を行う（ブロック６３０）。測定結果に応じて、端末は所望のアンテナを選択する（ブロック６４０）。そして、チャネル測定結果（例えば、所望のアンテナを利用したチャネル測定結果）を基地局へ通知する。続いて基地局は端末に対し、通知された測定結果に基づいて特定のチャネルへハンドオーバを行うよう指示する。
【００２６】
ここで、所望のアンテナを異なるいろいろな方法において決定できることは理解されよう。例えばいくつかの実施形態では、所望のアンテナの決定に、所望のアンテナ／チャネルの組合せを特定し、この組合せにおけるアンテナコンポーネントを所望のアンテナと識別することを含めてもよい。しかしながら、いくつかの実施形態では、所望のアンテナは、複数チャネル全体として最高性能を発揮するアンテナであってもよい。更なる実施形態では、所望のアンテナの識別は、最良のチャネルの識別に依存してもよい。例えば、最良チャネルは、利用可能な全てのアンテナの測定結果を考慮して（端末、或いは、基地局により）識別されてもよい。そのような最良のチャネルは、例えば、基地局が端末のハンドオーバのために選択しそうなハンドオーバ候補を表す。所望のアンテナの識別は、識別された最良のチャネルに基づいてもよく、例えば、所望のアンテナは、選択された最良のチャネルを前提として最高のパフォーマンスを提供するアンテナであってもよい。そのような処理の他のバリエーション、例えば、どのチャネルを基地局がハンドオーバ用に指定する可能性がより高いのかを、先天的知識に基づき選択する技術や、端末の将来的な信号伝搬の予測に基づいてバイアスされる選択技術が、発明のいくつかの実施形態において利用されてもよいことは理解されよう。
【００２７】
図７は、発明の更なる実施形態に対応する典型的な処理を示す。複数の選択可能なダイバーシチアンテナパスを有する無線端末は第１のアンテナを利用し、トラヒックチャネルを介して基地局と通信している（ブロック７０５）。もしアンテナダイバーシチが端末において利用できない場合（ブロック７１０）、標準圧縮モードチャネル測定プロトコルに従う（ブロック７１５）。一方、もしアンテナダイバーシチが利用可能であれば（ブロック７１０）、端末は周波数間サーチリストがあるかどうかを判定する（ブロック７２０）。例えば、端末は、基地局始動の圧縮モードに既におかれているかも知れない。また、端末には、基地局が測定を要求したハンドオーバ候補チャネルのリストを既に提供されているかも知れない。
【００２８】
もしそのようなリストが存在する場合、端末は、これらのチャネル（及び現在のトラヒックチャネル）と様々なアンテナとの複数の組合せを特定できる（ブロック７２５）。もしリストが存在しない場合、例えば端末が圧縮モードに現在おかれていなかった場合、端末は、現在のトラヒックチャネルと様々なアンテナとの複数の組合せを特定し（ブロック７３０）、端末始動の圧縮モード処理を要求する（ブロック７３５）。端末は、通信モードの１つ以上の送信ギャップの間に、様々な特定されたアンテナ／チャネルの組合せについて測定することができる（ブロック７４０）。これらの測定結果に応じて、端末は所望のアンテナを選択し（ブロック７４５）、チャネル測定結果（所望のアンテナを利用したチャネル測定結果）を基地局に通知する。
【００２９】
図に記載した処理は、発明のいくつかの実施形態に関する説明的な例示であり、そのような処理のバリエーションも、本発明の範囲に包含されることは理解されよう。一般に、上述のフローチャートや図面は、発明のいくつかの実施形態の機構、機能及び処理を説明するものであり、各ブロックは、特定の論理機能を実行するための１以上の実行可能な命令を含むモジュール、セグメント、或いは、コードの一部を表すことができる。他の実施において、ブロックにおいて定義される機能は、図に示した順序とは異なる順序で実施されてもよい。例えば、２つのブロックが連続して示されていた場合に、実際には、それらが実質的に同時に実行されてもよいし、或いは、場合によっては逆順序において実行されてもよい。これらは、そこに含まれる機能に依存して決定される。
【００３０】
本発明は方法、システム（装置）或いはコンピュータプログラムとして実施することができる。従って、本発明はハードウェア、ソフトウェア、或いは、それらの組合せにより実施されてもよい。さらに、本発明は、コンピュータで利用可能な記憶媒体上の、コンピュータで実行可能なプログラムコードを含むコンピュータプログラムの形態をとってもよい。適用可能なコンピュータ可読記憶媒体としては、ハードディスク、ＣＤ−ＲＯＭ、光学的記憶デバイス、磁気記憶デバイスなどが含まれる。そのようなコンピュータプログラムは、図１の制御プロセッサ１３０のようなデータ処理装置内で実行されるように構成されてもよい。
【００３１】
本発明の動作を実行するためのコンピュータプログラムコードは、Java（登録商標）、SmallTalk 或いは C++のようなオブジェクト指向プログラミング言語で記述されていてもよい。しかしながら、本発明の動作を実行するためのコンピュータプログラムコードは、Ｃ言語のような従来の手順的なプログラミング言語や、より下位レベルのアセンブラ言語等により記述されていてもよい。プログラムコードは、ユーザのコンピュータ（即ち、ユーザの移動体端末のコントローラ）で全て実行されてもよいし、スタンドアローンソフトウェアパッケージとして、ユーザのコンピュータで部分的に実行されてもよいし、部分的にユーザのコンピュータと遠隔コンピュータでそれぞれ実行されてもよいし、遠隔コンピュータで全て実行されてもよい。後者の状況では、遠隔コンピュータがユーザのコンピュータにＬＡＮ(Local Aria Network)やＷＡＮ(Wide Area Network)を介して接続されていてもよいし、あるいは、（例えば、ＩＳＰ(Internet Service Provider)を利用してインターネットを介して）外部コンピュータに接続されてもよい。
【００３２】
更に、本発明は、本発明の実施形態に対応する方法、装置（システム）及びコンピュータプログラムについてのフローチャートやブロック図を参照して、その一部について説明されたものである。フローチャートやブロック図の各ブロックやそれらの結合は、コンピュータプログラム命令によって実施可能であることは理解されよう。これらのコンピュータプログラム命令は、マシーンを提供するために、汎用コンピュータ、特定用途コンピュータ、或いは、他のプログラム可能なデータ処理装置のプロセッサに提供され、該命令をコンピュータや他のプログラム可能なデータ処理装置が実行することにより、フローチャートやブロック図のブロック及びブロック群により特定される機能や動作を実行する手段が生成される。
【００３３】
コンピュータプログラム命令は、該命令がコンピュータや他のプログラム可能なデータ処理装置を、フローチャートやブロック図のブロック及びブロック群により特定される機能や動作を実行する命令手段を含む製品を製造するような特定の方法で機能させるために、コンピュータ可読メモリーに記憶されてもよい。
【００３４】
コンピュータプログラム命令は、コンピュータや他のプログラム可能なデータ処理装置にロードされることで、一連の動作ステップがコンピュータや他のプログラム可能なデータ処理装置上で実行され、フローチャートやブロック図のブロック及びブロック群により特定される機能や動作が実現される。
【００３５】
発明の典型的な実施形態を図面及び明細書に示した。説明に際し特定の用語を利用しているが、これらは全て一般的意味及び記述的意味においてのみ用いられているものであって、発明を限定的に特定するために用いられたものではない。発明の範囲は、特許請求の範囲の記載に基づいて特定されるものである。
【図面の簡単な説明】
【００３６】
【図１】発明のいくつかの実施形態に対応する移動体端末のブロック図である。
【図２】発明の様々な実施形態に対応する受信パス評価処理のフローチャートである。
【図３】発明の様々な実施形態に対応する受信パス評価処理のフローチャートである。
【図４】発明のいくつかの実施形態に対応する受信パス評価に利用される、圧縮通信モードにおける送信ギャップを示す図である。
【図５ａ】発明のいくつかの実施形態に対応する受信パス評価に利用される、圧縮通信モードにおける送信ギャップを示す図である。
【図５ｂ】発明のいくつかの実施形態に対応する受信パス評価に利用される、圧縮通信モードにおける送信ギャップを示す図である。
【図５ｃ】発明のいくつかの実施形態に対応する受信パス評価に利用される、圧縮通信モードにおける送信ギャップを示す図である。
【図６】発明の更なる実施形態に対応する受信パス評価処理のフローチャートである。
【図７】発明の更なる実施形態に対応する受信パス評価処理のフローチャートである。
【図１】
2009532936.tif 000003
【図２】
2009532936.tif 000004
【図３】
2009532936.tif 000005
【図４】
2009532936.tif 000006
【図５ａ】
2009532936.tif 000007
【図５ｂ】
2009532936.tif 000008
【図５ｃ】
2009532936.tif 000009
【図６】
2009532936.tif 000010
【図７】
2009532936.tif 000011
【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
無線端末の動作方法であって、
通信セッションを前記無線端末と基地局との間で確立する工程と、
前記通信セッションにおける少なくとも１つの送信ギャップの間に、前記無線端末における複数の選択ダイバーシチ受信パスのそれぞれにおける、少なくとも１つのチャネルの受信特性を測定する工程と
を備えることを特徴とする方法。
【請求項２】
前記少なくとも１つの通信ギャップは、ハンドオーバ候補チャネル評価の送信ギャップと、周波数間測定のギャップとのうち、少なくともいずれかを含むことを特徴とする請求項１に記載の方法。
【請求項３】
前記受信特性を測定する工程は、前記基地局と前記無線端末との間で圧縮モードの通信に移行した後に実行され、
前記少なくとも１つの送信ギャップは、前記圧縮モードに関連する送信ギャップであることを特徴とする請求項１に記載の方法。
【請求項４】
前記受信特性を測定する工程は、前記無線端末の第１のアンテナと第２のアンテナとを介した前記少なくとも１つのチャネルの受信特性の測定を含むことを特徴とする請求項１に記載の方法。
【請求項５】
前記受信特性を測定する工程は、前記基地局と前記無線端末との間で圧縮モードの通信に移行した後に実行され、
前記少なくとも１つの送信ギャップは、前記圧縮モードに関連する送信ギャップであることを特徴とする請求項４に記載の方法。
【請求項６】
前記無線端末の第１のアンテナと第２のアンテナとを介した前記少なくとも１つのチャネルの受信特性の測定は、複数のハンドオーバ候補チャネルについて前記第１のアンテナと前記第２のアンテナを介した受信特性の測定を含むことを特徴とする請求項４に記載の方法。
【請求項７】
前記複数のハンドオーバ候補チャネルについて前記第１のアンテナと前記第２のアンテナを介した受信特性の測定は、前記無線端末について複数のハンドオーバ候補チャネルを前記基地局が特定した後に行われることを特徴とする請求項６に記載の方法。
【請求項８】
前記無線端末の前記第１のアンテナと前記第２のアンテナとを介した受信特性の測定に応答して、前記無線端末の通信のためのアンテナを前記第１のアンテナと前記第２のアンテナとのいずれかから選択する工程をさらに備えることを特徴とする請求項４に記載の方法。
【請求項９】
無線端末であって、
前記無線端末において第１の選択ダイバーシチ受信パスと第２の選択ダイバーシチ受信パスとを提供するように構成された無線受信システムと、
前記受信システムと関連して動作するコントローラであって、前記無線端末と基地局との間の通信セッションにおける少なくとも１つの送信ギャップの間に、前記第１の選択ダイバーシチ受信パス及び第２の選択ダイバーシチ受信パスを介した少なくとも１つのチャネルの受信特性を測定するように構成されたコントローラと、
を備えることを特徴とする無線端末。
【請求項１０】
無線端末を制御するためのコンピュータプログラムであって、
通信セッションを前記無線端末と基地局との間で確立する工程と、
前記通信セッションにおける少なくとも１つの送信ギャップの間に、前記無線端末における複数の選択ダイバーシチ受信パスのそれぞれにおける、少なくとも１つのチャネルの受信特性を測定する工程と
を前記無線端末に実行させることを特徴とするコンピュータプログラム。
【国際調査報告】
2009532936.tif 000012
2009532936.tif 000013